(57)【要約】【課題】本体サイズの小型化を図りつつ本体性能が高く、かつ、さらにデザイン性のすぐれた床置型空気調和機の提供。【解決手段】本体前面部に吸入グリル３を設けるとともに背面部に吸い込み口１５を設け、かつ前記本体内部の上下いずれか一方に熱交換機１８、他方に背面用モーター１０と背面用ファン１１および前面用モーター１２と前面用ファン１３を配置し、前記背面用モーターと背面用ファンおよび前面用モーターと前面用ファンとの間を仕切り板９で隔離して独立した風回路を形成する構成としてあり、背面からの吸い込み口が加わって吸入面積が増加するので、前面のデザイン部である吸入グリル部の吸入口面積を減少させ、デザインの自由度を向上させることができるとともに、独立した風回路を形成しているので、熱交換機の前後方向に供給される風量分布をほぼ同じにすることができて熱交換効率を向上させることができる。【選択図】図１
2009264600.tif 000002
【特許請求の範囲】
【請求項１】
本体前面部に吸入グリルを設けるとともに背面部に吸い込み口を設け、かつ前記本体内部の上下いずれか一方に熱交換機、他方に背面用モーターと背面用ファンおよび前面用モーターと前面用ファンを配置し、前記背面用モーターと背面用ファンおよび前面用モーターと前面用ファンとの間を仕切り板で隔離して独立した風回路を形成する構成とした床置型空気調和機。
【請求項２】
背面用ターボファンと前面用ターボファンならびに前面、背面用モーターは同じ仕様とするとともに、前記モーターはＤＣモーターで構成したことを特徴とする請求項１記載の床置型空気調和機。
【発明の詳細な説明】
【技術分野】
【０００１】
本発明は床置型空気調和機に関し、特に本体風回路構成に関するものである。
【背景技術】
【０００２】
従来、この種の床置型空気調和機の風回路構成については図４に示すようなものが知られている（例えば、特許文献１参照）。
【０００３】
以下、その風回路構成について図４を参照しながら説明する。図４は床置型空気調和機の本体分解斜視図である。本体前面部には、上部より吹き出しグリル１０１、中部の前面パネル１０２、下部の吸入グリル１０３が設けられており、下部の吸入グリル１０３より吸込んだ空気を上部の吹き出しグリル１０１より室内に吹出す構成となっている。
【０００４】
又、本体は側板１０４，１０５、天板１０６、底板１０７、後ろ板１０８で骨格を形成している。そしてこの骨格内部には、図５に示すように、風回路構成部品であるエアガイダー１０９、モーター１１０、ファン１１１が設置されている。エアガイダー１０９の上部には室内熱交換器１１４が高さが最大になるように斜めに設置されている。このような構造のため風回路構成において室内熱交換器１１４の高さが本体性能に大きな影響を与える構造となっている。
【特許文献１】実開平６−１０１８６６号公報
【発明の開示】
【発明が解決しようとする課題】
【０００５】
しかしながら、上記従来の構造では次のような課題を有していた。まず、本体高さが決定していると、エアガイダーの高さによって投入できる室内熱交換器の高さが決定されてしまうため、本体性能を向上させるためには本体サイズを高くするか横幅を大きくせざるをえなかった。又室内熱交換器自体も本体サイズを同サイズで性能向上させるためには熱交列数増加しかないため、高コストになる。また吸入グリルには吸入口が設けられ、吸入口の面積を大きくすれば吸い込む風量は増加するが、デザイン的な制約となり吸入グリルのデザイン性の制約となっていた。
【０００６】
本発明は前記従来の課題を解決するもので、本体サイズの小型化を図りつつ本体性能が高く、かつ、さらにデザイン性のすぐれた床置型空気調和機を提供するものである。
【課題を解決するための手段】
【０００７】
本発明は前記従来の課題を解決するために、本体前面部に吸入グリルを設けるとともに背面部に吸い込み口を設け、かつ前記本体内部の上下いずれか一方に熱交換機、他方に背面用モーターと背面用ファンおよび前面用モーターと前面用ファンを配置し、前記背面用モーターと背面用ファンおよび前面用モーターと前面用ファンとの間を仕切り板で隔離して独立した風回路を形成する構成としたものである。
【０００８】
上記構成により、背面からの吸い込み口が加わって吸入面積が増加するので、前面のデザイン部である吸入グリル部の吸入口面積を減少させ、デザインの自由度を向上させることができるとともに、独立した風回路を形成しているので、熱交換機の前後方向に供給される風量分布をほぼ同じにすることができて熱交換効率を向上させることができる。
【発明の効果】
【０００９】
本発明の床置型空気調和機は、吸入面積が増加させつつ前面吸入グリル部の吸入口面積
を減少させ、かつ、独立した風回路によって熱交換機の前後方向に供給される風量分布をほぼ同じにすることができ、本体サイズの小型化を図りつつ本体性能が高く、かつ、さらにデザイン性のすぐれた床置型空気調和機を提供できる。
【発明を実施するための最良の形態】
【００１０】
第１の発明は、床置型空気調和機本体風回路構成において、本体背面部の後ろ板部に吸い込み口を有し、前面下方部に背面用ＤＣモーターと背面用ターボファンを有し、さらに前面用ＤＣモーターと前面用ターボファンを有し、本体前面部に吸い込み口を持つ吸入グリルを有し、風回路部に２つの完全に独立した吸い込み用風回路をもつことで、上方部に配置した熱交換器と吹き出し口で高性能な風回路を構成するものである。
【００１１】
第２の発明は、背面用ターボファンと前面用ターボファンの仕様を同じにし、前後のモーターの仕様も同じであるがＤＣモーターを採用することで風回路上部に配置されている熱交換器に吹き付ける風量を前後で最適風量に調整することができ、配置された熱交換器の性能を向上させることができるため、本体サイズの小型化もしくは熱交換器の合理化等が行える。
【００１２】
又、ターボファンを採用することで従来使用されているエアガイダーを使用しなくても風回路を構成できる。
【００１３】
以下、本発明の実施の形態について図面を参照して説明する。なお、この実施の形態によって本発明が限定されるものではない。
【００１４】
（実施の形態１）
図１は、本発明の第１の実施の形態における床置型空気調和機の本体分解斜視図で、１は吹出しグリル、２は前面パネル、３は吸入グリルであり、この３点の部品によって本体前面が構成されている。又本体自体は、側版５，６ならびに天板４、底板７、後ろ板８で骨格を構成しており、この骨格内部に背面用モーター１０、背面用ターボファン１１、さらに前面用モーター１２、前面用ターボファン１３を配置し、これらを保持する仕切り板９によって前と後に２つの完全に独立した風回路を形成している。
【００１５】
図２は、本発明の第１の実施の形態における床置型空気調和機の背面斜視図である。背面吸い込み口１５を設けることで、風回路構成上の吸い込み面積の増加を図っている。このため前面部の吸入グリル３に設けてある吸い込み口を減少させることが可能となり、吸入グリルのデザイン性を向上できるとともに風回路性能を向上できる。
【００１６】
図３は、本発明の第１の実施の形態における床置型空気調和機の本体断面図である。風回路下部に配置された前後の２つの独立した風回路を構成する前記背面用ターボファン１１と前面用ターボファン１３はその仕様を同じとし、前記背面用モーター１０と前面用モーター１２を同じ仕様のＤＣモーターを採用してあり、この２つの風回路から上部熱交換器１８へ送りだす風量を調整可能としてある。従来このような熱交換機の配置の場合、熱交換器下部のファンが一つであってなおかつ風量が少ないため、熱交換機性能を十分に発揮することは困難であったが、この実施の形態によれば最適な風速分布を熱交換器に供給することができる。すなわち、風回路性能の向上によって本体性能も向上させることができる。また性能向上分は本体サイズの小型化、熱交換器の合理化等に振り分けることも可能となる。
【００１７】
なお、上記実施の形態ではファンはターボファン、モーターをＤＣモーターで説明したが、特にこれに限られるものではない。
【００１８】
このようにこの実施の形態の床置き型空気調和機は、前面からの風回路用に前面用ターボファンと前面用ＤＣモーターを持ち、背面風回路用に背面用ターボファンと背面用ＤＣモーターをもつ完全に２系統の独立した風回路をもつことで、吸い込み部の風回路性能を向上させることができ、さらに背面用に背面吸い込み部を有し、デザイン性の関係する前面にも前面ファン用吸い込み部を有するため吸入グリル部の吸い込み口面積を減少させることができ、デザインの自由度が向上する。さらに前面用ターボファンと背面用ターボファンの仕様は同じでも前後の駆動モーターにＤＣを採用することで上部熱交換器に最適な風速分布を与えることが可能となり、熱交換器性能を向上させることができる。すなわち、本体サイズを大きくすることなく風回路性能を向上させることで、本体性能を向上させることができる。又、各ターボファンとモーターを同じ仕様の物を使用することで金型コストの上昇抑えると共に、送風機にターボファンを採用しているため、従来の風回路に必要とされるエアガイダーを廃止することができ、コスト低減を図ると同時に高性能風回路を提供できる。
【産業上の利用可能性】
【００１９】
以上のように、本発明にかかる床置型空気調和機は吸入性能を向上させるとともに、同時に熱交換器に最適な風速分布で送風することが可能となり、本体風回路性能を大幅に向上させることができる。よって、本体サイズの小型化を図りつつ本体性能が高く、かつ、さらにデザイン性のすぐれた床置型空気調和機を提供することができる。
【図面の簡単な説明】
【００２０】
【図１】本発明の実施の形態１の床置型空気調和機を示す本体分解斜視図
【図２】同実施の形態１の本体背面斜視図
【図３】同実施の形態１の本体断面図
【図４】従来の床置型空気調和機の本体分解斜視図
【図５】同従来の本体の断面図
【符号の説明】
【００２１】
１  吹出しグリル
２  前面パネル
３  吸入グリル
４  天板
５  側版右
６  側版左
７  底板
８  後ろ板
９  仕切り板
１０  背面用ＤＣモーター
１１  背面用ターボファン
１２  前面用ＤＣモーター
１３  前面用ターボファン
１５  吸い込み口
１８  熱交換機
【図１】
2009264600.tif 000003
【図２】
2009264600.tif 000004
【図３】
2009264600.tif 000005
【図４】
2009264600.tif 000006
【図５】
2009264600.tif 000007